(57)【要約】【課題】簡便な画質方針に適したカラーパッチを持つカラーチャートを作成することができ、かつ、制御を複雑にすることなく、当該画質方針に適合する色再現モデルを作成することができる色再現モデル作成方法、色再現モデルに基づいて作成された色変換プロファイルを記憶する記憶媒体、当該記憶媒体を搭載する画像形成装置を得る。【解決手段】指定された画質方針に適合するカラーチャートを画像形成装置で形成し、当該カラーチャートを構成するカラーパッチを測色計で測色し、画質方針に基づいた抽出基準により画質方針に適合したカラーパッチを抽出する。その抽出されたカラーパッチの測色値に基づいて画質方針に適合した色再現モデルを作成する。当該色再現モデルに基づいて作成された色変換プロファイルは、画像形成装置が搭載するＨＤＤに記憶される。【選択図】図６
2007329843.tif 000002
【特許請求の範囲】
【請求項１】
画像出力装置に入力される画像データに基づいて、所定の媒体に画像を出力する場合に、この画像出力装置に予め準備された色変換プロファイルを用いて色変換を行う色変換システムにおいて、前記色変換プロファイルを作成するための基礎となる色再現モデルを作成するための色再現モデル作成方法であって、
階調性、彩度、測色値並びに画質モードの少なくとも１つの特性で指定される画質方針に基づいて、前記所定の媒体に出力すべきカラーチャートデータを選択し、
当該選択されたカラーチャートデータに基づいてカラーチャートを作成して、それぞれのカラーパッチを測色し、
測色されたカラーパッチの測色値から、前記指定された前記所定の画質方針に適合した前記色再現モデルを作成するためのカラーパッチを抽出することを特徴とする色再現モデル作成方法。
【請求項２】
前記カラーチャートは、前記画質方針ごとに、前記カラーチャートを構成する前記カラーパッチの総数、配列構成、色の比率、濃度に比例する物理量のうち少なくとも一つが異なることを特徴とする請求項１記載の色再現モデル作成方法。
【請求項３】
前記カラーチャートのそれぞれには、同一条件が指定される複数の前記カラーパッチが形成され、この複数のカラーパッチの測色値から色再現モデルを作成処理する場合に、前記画質方針により前記抽出の基準を変更することを特徴とする請求項１又は請求項２記載の色再現モデル作成方法。
【請求項４】
前記カラーチャートには、同一条件が指定される複数の前記カラーパッチが形成され、この複数のカラーパッチの測色値から色再現モデルを作成処理する場合に、前記画質方針により、中心値、平均値、最低値、最大値のうち少なくとも一つを前記抽出の基準として選択することを特徴とする請求項１又は請求項２記載の色再現モデル作成方法。
【請求項５】
前記色再現モデルの作成処理は、環境を含む色再現する場所に基づいて設定される色空間の種類ごとに異なることを特徴とする請求項１乃至請求項４の何れか１項記載の色再現モデル作成方法。
【請求項６】
前記画質方針が彩度重視の場合に、彩度、明度、色相に対する濃度の変化量が大きく、色再現モデルの外郭が相対的に小さくなる測色値を適用することを特徴とする請求項１乃至請求項５の何れか１項記載の色再現モデル作成方法。
【請求項７】
前記画質方針が階調重視の場合に、彩度、明度、色相に対する濃度の変化量が小さく、色再現モデルの外郭が相対的に大きくなる測色値を適用することを特徴とする請求項１乃至請求項６の何れか１項記載の色再現モデル作成方法。
【請求項８】
前記カラーパッチの色の比率を、明度又は彩度の少なくともいずれか一つを基準として変更することを特徴とする請求項２乃至請求項７の何れか１項記載の色再現モデル作成方法。
【請求項９】
低明度色又は低彩度色の少なくとも一つのカラーパッチの比率を高くすることを特徴とする請求項８記載の色再現モデル作成方法。
【請求項１０】
３原色を示す主要色のカラーパッチの比率を高くすることを特徴とする請求項８記載の色再現モデル作成方法。
【請求項１１】
予め定められた特定の濃度のカラーパッチの比率を高くすることを特徴とする請求項１乃至請求項１０の何れか１項記載の色再現モデル作成方法。
【請求項１２】
前記比率が高い前記カラーパッチの領域を、前記所定の媒体において測色誤差が相対的に小さい位置に配置することを特徴とする請求項１乃至請求項１１の何れか１項記載の色再現モデル作成方法。
【請求項１３】
前記画像出力装置が、トナー現像によって所定の記録用紙に画像を形成する画像形成装置であることを特徴とする請求項１乃至請求項１２の何れか１項記載の色再現モデル作成方法。
【請求項１４】
請求項１乃至請求項１２の何れか１項記載の色再現モデル作成方法で作成された色再現モデルに基づいて作成された前記色変換プロファイルを記憶する記憶媒体。
【請求項１５】
請求項１乃至請求項１２の何れか１項記載の色再現モデル作成方法で作成された色再現モデルに基づいて作成された前記色変換プロファイルを記憶する記憶媒体を搭載する画像形成装置。
【請求項１６】
画像出力装置に入力される画像データに基づいて、所定の媒体に画像を出力する場合に、色変換を行う色変換システムにおいて色再現モデルを作成するための色再現モデル作成方法であって、
階調性、彩度、測色値並びに画質モードの少なくとも１つの特性で指定される画質方針に基づいて、前記所定の媒体に出力すべきカラーチャートデータを選択し、
当該選択されたカラーチャートデータに基づいてカラーチャートを作成して、それぞれのカラーパッチを測色し、
測色されたカラーパッチの測色値から、前記指定された前記所定の画質方針に適合した前記色再現モデルを作成するためのカラーパッチを抽出することを特徴とする色再現モデル作成方法。
【請求項１７】
画像出力装置に入力される画像データに基づいて、所定の媒体に画像を出力する場合に、色変換を行う色変換システムにおいて色再現モデルを作成するための色再現モデル作成装置であって、
階調性、彩度、測色値並びに画質モードの少なくとも１つの特性で指定される画質方針に基づいて、前記所定の媒体に出力すべきカラーチャートデータを選択する選択手段と、
当該選択されたカラーチャートデータに基づいてカラーチャートを作成して、それぞれのカラーパッチを測色する測色手段と、
測色されたカラーパッチの測色値から、前記指定された前記所定の画質方針に適合した前記色再現モデルを作成するためのカラーパッチを抽出する抽出手段と、
を備える色再現モデル作成装置。
【発明の詳細な説明】
【技術分野】
【０００１】
本発明は、画像出力装置に入力される画像データに基づいて、所定の媒体に画像を出力する場合に、この画像出力装置に予め準備された色変換プロファイルを用いて色変換を行う色変換システムにおいて、前記色変換プロファイルを作成するための基礎となる色再現モデルを作成するための色再現モデルの作成方法、色再現モデルに基づいて作成された色変換プロファイルを記憶する記憶媒体、並びに記憶媒体を搭載する画像形成装置、色再現モデル作成装置に関するものである。
【背景技術】
【０００２】
画像出力装置は、例えば、レッド（Ｒ）、グリーン（Ｇ）、ブルー（Ｂ）の色で構成される画像データや、シアン（Ｃ）、マゼンタ（Ｍ）、イエロー（Ｙ）、ブラック（Ｋ）の色で構成される画像データが入力されると、当該画像出力装置で再現可能な色変換を行い、例えば、ＣＭＹＫの色で構成されるトナーやインクなどの画像形成材料を用いて記録用紙に画像として形成する。
【０００３】
ここで、前記色変換は予め画像出力装置に記憶されている色変換プロファイルを用いて行われる。この色変換プロファイルは、例えば画像出力装置の設計、製造、出荷段階で、色再現モデルに基づいて作成される。
【０００４】
色再現モデルとは、画像出力装置が再現可能な色の範囲を示すモデルであり、明度、彩度、色相の３軸（Ｘ、Ｙ、Ｚ）の特性図で表現されるものであり、簡易的に例えば横軸に彩度、縦軸に明度を用いて表現される場合もある。色再現モデルは、画像出力装置で形成されたカラーチャートを測色計で測色することにより作成される。
【０００５】
すなわち、画像出力装置が再現可能な色の範囲は、当該画像出力装置で形成されるカラーチャートに依存する。
【０００６】
カラーチャートは、複数のカラーパッチから構成されており、所定のパイルハイト量でカラーパッチの色は表現される。パイルハイト量とは、例えば、ＣＭＹＫで構成される画像形成材料において、４色の濃度に比例する物理量の合計である。このパイルハイト量が高すぎると、記録用紙に形成される画像に色むらや、にじみを生じ、カラーチャートに基づいて作成される色再現モデルに好ましくない影響を与える。
【０００７】
このため、パイルハイト量に制限を設け、この制限を越えるカラーパッチに対しては、制限を越えないように補正してカラーチャートを形成することがなされている（特許文献１、特許文献２参照）。また予め複数のパイルハイト量に対応した複数のカラーチャートを用意しておき、指定されたパイルハイト量に基づいてカラーチャートを選択することが提案されている（特許文献３参照）。
【特許文献１】特開２００４−５８６２６公報
【特許文献２】特開２００４−１４７２５７公報
【特許文献３】特開２００４−２３０８２６公報
【発明の開示】
【発明が解決しようとする課題】
【０００８】
しかしながら、上記従来技術では、適用するインテント（階調性、彩度、測色値）や画質モード（以下、総称して「画質方針」という）に関係なく、共通のデータで特定の条件に適したカラーチャートを形成していた。このため、画質方針が異なる場合にも同一の色再現モデルが使用され、ガミュート（Ｇａｍｕｔ）圧縮やマッピングの際にユーザーの意図しない色に変換される可能性がある。
【０００９】
このような場合、カラーチャートを作成する基礎となるカラーチャートデータから作り直せばよいが、制御が複雑であり、処理にも時間を要し、現実的ではない。
【００１０】
本発明は上記事実を考慮し、簡便な画質方針に適したカラーパッチを持つカラーチャートを作成することができ、かつ、制御を複雑にすることなく、当該画質方針に適合する色再現モデルを作成することができる色再現モデル作成方法、色再現モデルに基づいて作成された色変換プロファイルを記憶する記憶媒体、当該記憶媒体を搭載する画像形成装置、色再現モデル作成装置を得るということが目的である。
【課題を解決するための手段】
【００１１】
本発明は、画像出力装置に入力される画像データに基づいて、所定の媒体に画像を出力する場合に、この画像出力装置に予め準備された色変換プロファイルを用いて色変換を行う色変換システムにおいて、前記色変換プロファイルを作成するための基礎となる色再現モデルを作成するための色再現モデル作成方法であって、階調性、彩度、測色値並びに画質モードの少なくとも１つの特性で指定される画質方針に基づいて、前記所定の媒体に出力すべきカラーチャートデータを選択し、当該選択されたカラーチャートデータに基づいてカラーチャートを作成して、それぞれのカラーパッチを測色し、測色されたカラーパッチの測色値から、前記指定された前記所定の画質方針に適合した前記色再現モデルを作成するためのカラーパッチを抽出することを特徴とする。
【００１２】
本発明によれば、画質方針に基づいて、カラーチャートデータを選択し、画像出力装置から例えば記録用紙のような所定の媒体にカラーチャートを出力する。この出力したカラーチャートを構成するカラーパッチを測色し、その測色値に基づいて、画質方針に適合した色再現モデルを作成するためのカラーパッチを抽出し、抽出されたカラーパッチから色再現モデルを作成する。
【００１３】
また、本発明において、前記カラーチャートは、前記画質方針ごとに、前記カラーチャートを構成する前記カラーパッチの総数、配列構成、色の比率、濃度に比例する物理量のうち少なくとも一つが異なることを特徴とする。
【００１４】
画質方針に基づいたカラーチャートは、カラーチャートを構成するカラーパッチの総数、配列構成、色の比率、濃度に比例する物理量が異なる複数のカラーチャートから選択される。物理量とは、例えば面積指示データもしくは階調データであり、８ビット（０〜２５５）のデジタルデータ（Ｃｉｎ）を示す。
【００１５】
さらに、本発明において、前記カラーチャートのそれぞれには、同一条件が指定される複数の前記カラーパッチが形成され、この複数のカラーパッチの測色値から色再現モデルを作成処理する場合に、前記画質方針により前記抽出の基準を変更することを特徴とする。
【００１６】
カラーチャートには、同一条件が指定される複数のカラーパッチが形成されている。色再現モデルを作成処理する場合は、当該複数のカラーパッチから得られる測色値の抽出基準を画質方針によって変更し、画質方針に適合する色再現モデルを作成する。
【００１７】
また、本発明において、前記カラーチャートには、同一条件が指定される複数の前記カラーパッチが形成され、この複数のカラーパッチの測色値から色再現モデルを作成処理する場合に、前記画質方針により、中心値、平均値、最低値、最大値のうち少なくとも一つを前記抽出の基準として選択することを特徴とする。
【００１８】
同一条件が指定される複数のカラーパッチの測色値の中心値、平均値、最低値、最大値を適用して色再現モデル作成処理を行うことで、測色値の解析手段を明確にし、一意的に画質方針に適合した色再現モデルを作成することができる。
【００１９】
さらに、本発明において、前記色再現モデルの作成処理は、環境を含む色再現する場所に基づいて設定される色空間の種類ごとに異なることを特徴とする。
【００２０】
環境を含む色再現する場所に基づいて設定される色空間の種類ごとに異なる色再現モデルの作成処理を行うことで、所定の媒体に画像データを出力する場合に、様々な条件に対応した色再現モデルを作成することができる。
【００２１】
また、本発明において、前記画質方針が彩度重視の場合に、彩度、明度、色相に対する濃度の変化量が大きく、色再現モデルの外郭が相対的に小さくなる測色値を適用することを特徴とする。
【００２２】
指定された画質方針が彩度重視の場合は、彩度、明度、色相に対する濃度の変化量を大きくする。彩度とは、色の鮮やかさをいい、明度とは、色の明暗をいい、色相とは、色あいをいう。そして、同一条件が指定される複数のカラーパッチの測色値から、色再現モデルの外郭が相対的に小さくなる測色値を適用する。これにより、当該色再現モデルを用いて再現される画像の、飽和に達する彩度の値が相対的に小さくなり彩度が強調される。
【００２３】
さらに、本発明において、前記画質方針が階調重視の場合に、彩度、明度、色相に対する濃度の変化量が小さく、色再現モデルの外郭が相対的に大きくなる測色値を適用することを特徴とする。
【００２４】
指定された画質方針が階調重視の場合は、同一条件の複数のカラーパッチの測色値から、色再現モデルの外郭が相対的に大きくなる測色値を適用することで、当該色再現モデルを用いて再現される画像の階調の変化が相対的に緩やかになる。
【００２５】
また、本発明において、前記カラーパッチの色の比率を、明度又は彩度の少なくともいずれか一つを基準として変更することを特徴とする。
【００２６】
カラーパッチの色の比率が、明度又は彩度を基準として変更されることで、明度又は彩度についての精度が高い色再現モデルを作成できる。
【００２７】
さらに、本発明において、低明度色又は低彩度色の少なくとも一つのカラーパッチの比率を高くすることを特徴とする。
【００２８】
低明度色又は低彩度色のカラーパッチの比率を高くすることで、画像出力装置での低明度色又は低彩度色の範囲についての色再現性の精度を高くすることができる。
【００２９】
また、本発明において、３原色を示す主要色のカラーパッチの比率を高くすることを特徴とする。
【００３０】
主要色のカラーパッチの比率を高くすることで、画像出力装置での主要色の範囲についての色再現性の精度を高くすることができる。
【００３１】
さらに、本発明において、予め定められた特定の濃度のカラーパッチの比率を高くすることを特徴とする。
【００３２】
予め定められた特定の濃度のカラーパッチの比率を高くすることで、画像出力装置での特定の濃度を有する色の色再現性の精度を高くすることができる。
【００３３】
また、本発明において、前記比率が高い前記カラーパッチの領域を、前記所定の媒体において測色誤差が相対的に小さい位置に配置することを特徴とする。
【００３４】
例えば記録用紙のような所定の媒体において、例えば測色計による測色において、測色誤差が相対的に小さくなる位置に、比率の高いカラーパッチの領域を配置する。
【００３５】
さらに、本発明において、前記画像出力装置が、トナー現像によって所定の記録用紙に画像を形成する画像形成装置であることを特徴とする。
【００３６】
画像出力装置をトナー現像によって記録用紙に画像を形成する画像形成装置とすることで、トナー現像に対応した色再現モデルで作成された色変換プロファイルを用いることができる。
【００３７】
また、本発明において、請求項１乃至請求項１２の何れか１項記載の色再現モデル作成方法で作成された色再現モデルに基づいて作成された前記色変換プロファイルを記憶する記憶媒体であることを特徴とする。
【００３８】
色再現モデルに基づいて作成された色変換プロファイルは、記憶媒体に記憶されることで、画像データに基づいて所定の媒体に画像を出力する場合に、色変換プロファイルを記憶媒体から適宜読み出して用いることができる。
【００３９】
さらに、本発明において、請求項１乃至請求項１２の何れか１項記載の色再現モデル作成方法で作成された色再現モデルに基づいて作成された前記色変換プロファイルを記憶する記憶媒体を搭載する画像形成装置であることを特徴とする。
【００４０】
画像形成装置が色変換プロファイルを記憶する記憶媒体を搭載することで、画像形成装置は入力された画像データに対して色変換プロファイルで色変換を行い、記録用紙に画像を出力することができる。
【００４１】
また、本発明は、画像出力装置に入力される画像データに基づいて、所定の媒体に画像を出力する場合に、色変換を行う色変換システムにおいて色再現モデルを作成するための色再現モデル作成方法であって、階調性、彩度、測色値並びに画質モードの少なくとも１つの特性で指定される画質方針に基づいて、前記所定の媒体に出力すべきカラーチャートデータを選択し、当該選択されたカラーチャートデータに基づいてカラーチャートを作成して、それぞれのカラーパッチを測色し、測色されたカラーパッチの測色値から、前記指定された前記所定の画質方針に適合した前記色再現モデルを作成するためのカラーパッチを抽出することを特徴とする。
【００４２】
本発明によれば、画像出力装置に入力される画像データに基づいて、所定の媒体に画像を出力する場合に用いる色変換システムの色再現モデルを、画質方針に基づいて作成することができる。
【００４３】
さらに、本発明は、画像出力装置に入力される画像データに基づいて、所定の媒体に画像を出力する場合に、色変換を行う色変換システムにおいて色再現モデルを作成するための色再現モデル作成装置であって、階調性、彩度、測色値並びに画質モードの少なくとも１つの特性で指定される画質方針に基づいて、前記所定の媒体に出力すべきカラーチャートデータを選択する選択手段と、当該選択されたカラーチャートデータに基づいてカラーチャートを作成して、それぞれのカラーパッチを測色する測色手段と、測色されたカラーパッチの測色値から、前記指定された前記所定の画質方針に適合した前記色再現モデルを作成するためのカラーパッチを抽出する抽出手段と、を備える。
【００４４】
本発明によれば、画質方針に基づいて、選択手段でカラーチャートデータを選択し、画像出力装置から例えば記録用紙のような所定の媒体にカラーチャートを出力する。この出力したカラーチャートを構成するカラーパッチを測色手段で測色し、その測色値に基づいて、抽出手段で画質方針に適合した色再現モデルを作成するためのカラーパッチを抽出し、抽出されたカラーパッチから色再現モデルを作成する。
【発明の効果】
【００４５】
以上説明した如く本発明では、簡便な画質方針に適したカラーパッチを持つカラーチャートを作成することができ、かつ、制御を複雑にすることなく、当該画質方針に適合する色再現モデルを作成することができる色再現モデル作成方法、色再現モデルに基づいて作成された色変換プロファイルを記憶する記憶媒体、当該記憶媒体を搭載する画像形成装置、色再現モデル作成装置を得るという優れた効果を有する。
【発明を実施するための最良の形態】
【００４６】
（第１の実施例）
図１には、本実施の形態に係る画像出力システム１０が示されている。
【００４７】
画像出力システム１０は、画像形成装置１２と測色計１４とパソコン１６とが、ネットワーク１８を介して接続されることで構成されている。
【００４８】
画像形成装置１２は、トナー現像で画像データに基づいて所定の媒体である記録用紙２０に画像を形成する。
【００４９】
測色計１４は、画像形成装置１２から出力された記録用紙２０を測色し、色の分布をＬ＊ａ＊ｂ＊表色系、Ｌ＊Ｃ＊ｈ表色系などの各種表色系に基づいて数値化された測色値として表す。測色によって得られた測色値は、パソコン１６へネットワーク１８を介して送信される。また、測色計１４は、パソコン１６とネットワーク１８を用いて接続されず、例えば、ＲＳ−２３２ＣやＵＳＢ（Ｕｎｉｖｅｒｓａｌ  Ｓｅｒｉａｌ  Ｂｕｓ）によって接続されてもよい。
【００５０】
パソコン１６は、測色計で得られた測色値の処理を行い、処理結果や、画像データを画像形成装置１２へネットワーク１８を介して送信する。
【００５１】
図２に画像形成装置１２とパソコン１６との制御の要部を表すブロック図を示す。
【００５２】
画像形成装置１２は、マイクロコンピュータ１００を備えている。
【００５３】
マイクロコンピュータ１００は、画像形成装置１２の制御を司り、コントロールバスやデータバス等のバス１０２を介してモジュール制御部１０４とネットワークインターフェース１０６と記憶媒体であるＨＤＤ１０８と接続されている。
【００５４】
モジュール制御部１０４は、マイクロコンピュータ１００からの制御信号に基づいて、原稿に記された画像を読み取り画像データとするスキャナモジュール１１０と、画像データをトナーを用いて記録用紙２０に画像として形成するプリンタモジュール１１２とを制御する。
【００５５】
ネットワークインターフェース１０６は、ネットワーク１８を介してパソコン１６と接続されている。
【００５６】
ＨＤＤ１０８は、スキャナモジュール１１０で読み取った画像データや、パソコン１６から送信された画像データ等を記憶する。
【００５７】
パソコン１６は、ＣＰＵ２００を備えている。ＣＰＵ２００は、入力された種々のデータに対して計算処理を行っており、バス２０２を介してＲＯＭ２０４とＲＡＭ２０６とＨＤＤ２０８とネットワークインターフェース２１０と接続される。
【００５８】
ＣＰＵ２００の処理に合わせて、ＲＯＭ２０４はプログラムの読み出しを行い、ＲＡＭ２０６はデータやプログラムの書き込み、読み出しを行う。
【００５９】
ＨＤＤ２０８は、パソコン１６で作成された画像データやその他種々のデータを記憶する。
【００６０】
ネットワークインターフェース２１０は、ネットワーク１８を介して画像形成装置１２と接続され、画像データ等のデータの送受信を行う。
【００６１】
ここで、画像形成装置１２は、ＲＧＢの色で構成される画像データを、ＣＭＹＫの色で構成される画像とするために、色再現モデルに基づいて作成された色変換プロファイルを用いて色変換を行う。色再現モデルは、画像形成装置１２で記録用紙２０に形成されたカラーチャートを、測色計１４で測色した結果に基づいて作成される。
【００６２】
しかし、画像形成装置１２にインテント（階調性、彩度、測色値）や画質モードなどの画質方針が指定される場合において、色再現モデルが指定された画質方針に適合しないために、画像形成装置１２に入力された画像データがユーザーの意図しない色に変換される可能性がある。そのため、画質方針に適合した色再現モデルを作成する必要性がある。
【００６３】
図３は、画質方針に基づいてカラーチャートデータを選択し、色再現モデルを作成するパソコン１６のＣＰＵ２００の詳細を機能的に示した機能ブロック図である。
【００６４】
ＣＰＵ２００は、色再現モデル作成処理部３００と画質方針指定部３０２と色変換プロファイル作成部３０４とを備えている。
【００６５】
色再現モデル作成処理部３００は、カラーパッチ抽出部３０６と抽出基準選択部３０８と抽出基準メモリ３１０と色再現モデル作成部３１２とから構成される。
【００６６】
カラーパッチ抽出部３０６は、測色計１４からカラーパッチの測色値を受け取る。また、カラーパッチ抽出部３０６は、抽出基準選択部３０８と色再現モデル作成部３１２と接続され、抽出基準選択部３０８で選択された抽出基準に基づいてカラーパッチを抽出し、抽出したカラーパッチの測色値を色再現モデル作成部３１２へ送信する。
【００６７】
抽出基準選択部３０８は、画質方針指定部３０２と抽出基準メモリ３１０と接続されている。抽出基準選択部３０８は、抽出基準メモリ３１０が記憶する、画質方針とカラーパッチの抽出基準との関係（詳細後述）から、画質方針指定部３０２で指定された画質方針に基づいて測色値の抽出基準を選択する。選択された測色値の抽出基準は、カラーパッチ抽出部３０６へ送信される。
【００６８】
色再現モデル作成部３１２は、カラーパッチ抽出部３０６で抽出したカラーパッチの測色値に基づいて色再現モデルを作成し、当該作成した色再現モデルを色変換プロファイル作成部３０４へ送信する。
【００６９】
色変換プロファイル作成部３０４では、受信した色再現モデルに基づいて、色変換プロファイルを作成し、画像形成装置１２へ当該色変換プロファイルを送信する。画像形成装置１２へ送信された色変換プロファイルは、画像形成装置１２が搭載するＨＤＤ１０８に記憶される。なお、色変換プロファイルを記憶する手段は、ＨＤＤ１０８にかぎらず図示しないＲＯＭでもよい。
【００７０】
さらに、ＣＰＵ２００は、カラーチャート選択部３１４とカラーチャート出力制御部３１６とパイルハイト量設定部３１８とパイルハイト量メモリ３２０とを備えている。
【００７１】
カラーチャート選択部３１４は、画質方針指定部３０２と接続されており、画質方針指定部３０２で指定された画質方針に基づいてパソコン１６のＨＤＤ２０８が備えるカラーチャートデータ記憶部３２２からカラーチャートデータを選択する。選択されたカラーチャートデータはカラーチャート出力制御部３１６へ送信される。
【００７２】
カラーチャート出力制御部３１６は、パイルハイト量設定部３１８から受け取ったパイルハイト量でカラーチャートを形成する、カラーチャート形成信号を画像形成装置１２へ送信する。
【００７３】
パイルハイト量は、パイルハイト量メモリ３２０に記憶されている値に基づいてパイルハイト量設定部３１８で設定され、その設定値はカラーチャート出力制御部３１６へ送信される。
【００７４】
以下に第１の実施の形態に係る作用を説明する。
【００７５】
画質方針とカラーパッチの抽出基準との関係について、色再現モデルが有する色再現の特徴に基づいて説明する。
【００７６】
図４（Ａ）、図４（Ｂ）は、彩度方向の測色値が異なる色再現モデルの特徴を説明するのに要する図である。
【００７７】
図４（Ａ）は、横軸を彩度（Ｃ＊）、縦軸を明度（Ｌ＊）として色再現モデルの断面図を示している。
【００７８】
図４（Ａ）のＡは、彩度が最大となる条件を指定された複数のカラーパッチの測色値から、最小値を選択した場合の色再現モデル（色再現モデルＡ）を示している。また、図４（Ａ）のＢは、彩度が最大となる条件を指定された複数のカラーパッチの測色値から、最大値を選択した場合の色再現モデル（色再現モデルＢ）を示している。
【００７９】
図４（Ａ）の色再現モデルＡの外郭は、図４（Ａ）の色再現モデルＢの外郭よりも小さい。これから、図４（Ａ）の色再現モデルＡの方が図４（Ａ）の色再現モデルＢよりも、彩度、明度、色相に対する濃度の変化量が大きいといえる。一方、図４（Ａ）の色再現モデルＢは図４（Ａ）の色再現モデルＡよりも彩度、明度、色相に対する濃度の変化量が小さいといえる。
【００８０】
また、図４（Ｂ）は、図４（Ａ）の色再現モデルＡと図４（Ａ）の色再現モデルＢとに基づいて、彩度とトナーの濃度（Ｃｏｖｅｒａｇｅ）との関係を示している。トナーの濃度が最大（ｍａｘ）となるときに、彩度も最大となる。
【００８１】
図４（Ｂ）の直線Ａは、図４（Ａ）の色再現モデルＡから求められる直線である。一方、図４（Ｂ）の直線Ｂは、図４（Ａ）の色再現モデルＢから求められる直線である。
【００８２】
図４（Ｂ）の直線Ａでは、トナーの濃度が最大のときの彩度の値が図４（Ｂ）の直線Ｂに比べて小さい。これは、図４（Ａ）の色再現モデルＡの外郭が、図４（Ａ）の色再現モデルＢの外郭よりも、彩度方向に小さいためである。すなわち、図４（Ａ）の色再現モデルＡは図４（Ａ）の色再現モデルＢに比べて、彩度の飽和に達する値が小さく、高い彩度の色がつぶれやすくなり彩度強調の画質方針に適していることを示している。
【００８３】
一方、図４（Ｂ）の直線Ｂは、図４（Ｂ）の直線Ａに比べて傾きが小さい。すなわち、図４（Ａ）の色再現モデルＢは図４（Ａ）の色再現モデルＢに比べて、階調の変化が緩やかであり階調重視の画質方針に適していることを示している。
【００８４】
ここで、図４（Ａ）、図４（Ｂ）から求められる、画質方針とカラーパッチを抽出する基準となるカラーパッチの測色値と色再現モデルの大きさとの関係を表２に示す。
【００８５】
【表１】
2007329843.tif 000003
【００８６】
抽出基準メモリ３１０は、表１で示されている画質方針と抽出基準となるカラーパッチの測色値との関係を示す内容を記憶している。
【００８７】
抽出基準選択部３０８は、画質方針指定部３０２において指定された画質方針に基づいて、抽出基準メモリ３１０から測色値の抽出基準を選択する。例えば画質方針が彩度強調である場合には、彩度が最大となる条件を指定された複数のカラーパッチの中から測色値から最小値となるカラーパッチを抽出し、それを基準とする、ということを選択する。
【００８８】
カラーパッチ抽出部３０６では、抽出基準選択部３０８で選択された基準に基づいて、カラーパッチを抽出し、抽出したカラーパッチの測色値を色再現モデル作成部３１２へ送信する。
【００８９】
図５（Ａ）、図４（Ｂ）は、明度方向の測色値が異なる色再現モデルの特徴を説明するのに要する図である。
【００９０】
図５（Ａ）は、横軸を彩度（Ｃ＊）、縦軸を明度（Ｌ＊）として色再現モデルの断面図を示している。
【００９１】
図５（Ａ）のＣは、明度が最低となる条件の複数のカラーパッチの測色値の中の最大値（明値）を選択した場合の色再現モデル（色再現モデルＣ）を示している。また、図５（Ａ）のＤは、明度が最低となる条件の複数のカラーパッチの測色値の中の最小値（暗値）を選択した場合の色再現モデル（色再現モデルＤ）を示している。
【００９２】
図５（Ａ）の色再現モデルＣの外郭は、図５（Ａ）の色再現モデルＤの外郭よりも小さいことがわかる。これから、図５（Ａ）の色再現モデルＣの方が図５（Ａ）の色再現モデルＤよりも、彩度、明度、色相に対する濃度の変化量が大きいといえる。一方、図５（Ａ）の色再現モデルＤは図５（Ａ）の色再現モデルＣよりも彩度、明度、色相に対する濃度の変化量が小さいといえる。
【００９３】
また、図５（Ｂ）は、図５（Ａ）の色再現モデルＣと図５（Ａ）の色再現モデルＤとに基づいて、明度とトナーの濃度（Ｃｏｖｅｒａｇｅ）との関係を示している。トナーの濃度が最大（ｍａｘ）となるときに、明度が最小となる。
【００９４】
図５（Ｂ）の直線Ｃは、図５（Ａ）の色再現モデルＣから求められる直線である。一方、図５（Ｂ）の直線Ｄは、図５（Ａ）の色再現モデルＤから求められる直線である。
【００９５】
図５（Ｂ）の直線Ｃは、トナーの濃度が最大のときの明度の値が図５（Ｂ）の直線Ｄに比べて高い。これは、図５（Ｂ）の色再現モデルＣの外郭が、図５（Ａ）の色再現モデルＤの外郭よりも明度方向に小さいためである。すなわち、図５（Ａ）の色再現モデルＣは図５（Ａ）の色再現モデルＤに比べて、低明度がつぶれやすくなり、明度強調の画質方針に適している。ゆえに、図５（Ａ）の色再現モデルＤを用いた場合は形成される画像が暗めの色味となる。また、図５（Ｂ）の直線Ｃの傾きが図５（Ｂ）の直線Ｄの傾きよりも大きいため、相対的にトナーの使用量が多くなる。
【００９６】
一方、図５（Ｂ）の直線Ｄは、トナーの濃度が最大のときの明度の値が図５（Ｂ）の直線Ｃに比べて小さい。これは、図５（Ｂ）の色再現モデルＤの外郭が、図５（Ａ）の色再現モデルＣの外郭よりも明度方向に大きいためである。すなわち、図５（Ａ）の色再現モデルＤは図５（Ａ）の色再現モデルＣに比べて、低明度でつぶれにくくなり、当該色再現モデルを用いた場合は形成される画像は明るめの色味となる。また、図５（Ｂ）の直線Ｃの傾きが図５（Ｂ）の直線Ｄの傾きよりも小さいため、階調の変化が緩やかであり階調重視の画質方針に適していることを示している。さらに、傾きが小さいことから相対的にトナーの使用量が少なくなる。
【００９７】
ここで、図５（Ａ）、図５（Ｂ）から求められる、画質方針とカラーパッチを抽出する基準となるカラーパッチの測色値と色再現モデルの大きさとの関係を表２に示す。
【００９８】
【表２】
2007329843.tif 000004
【００９９】
表２の内容も表１と同様に抽出基準メモリ３１０に記憶され、抽出基準選択部３０８がカラーパッチの抽出基準を選択する場合に利用される。
【０１００】
また、表１、表２に示される画質方針に基づいたカラーパッチの抽出基準のみならず、これらとは異なる画質方針に基づいたカラーパッチの抽出基準を求め、それを使用してもよい。
【０１０１】
さらに、色を再現する場所である画像形成装置１２によっては、設定される色空間の種類（Ｌ＊ａ＊ｂ＊、ＸＹＺ等）が異なる。そのため、画質方針に適合した色再現モデルを作成するために、抽出基準選択部３０８で決定する測色値の解析方法を色空間の種類ごとに変更してもよい。
【０１０２】
次に、図６を参照して、色再現モデル作成処理の流れについて説明する。
【０１０３】
ステップ５００において、画質方針指定部３０２で画質方針が指定される。
【０１０４】
次にステップ５０２において、カラーチャート選択部３１４が、画質方針に適合したカラーチャートデータをカラーチャートデータ記憶部３２２から選択する。
【０１０５】
次に、ステップ５０４において、パイルハイト量設定部３１８で画質方針に適合したパイルハイト量が決定される。このときのパイルハイト量は最大の４００％としてもよい。
【０１０６】
次にステップ５０６において、ステップ５０２で選択されたカラーチャートが、ステップ５０４で決定されたパイルハイト量で画像形成装置１２から記録用紙２０に形成される。
【０１０７】
次にステップ５０８において、抽出基準選択部３０８が、ステップ５００で指定された画質方針に適合したカラーパッチの抽出基準を抽出基準メモリ３１０から選択する。
【０１０８】
次にステップ５１０において、記録用紙２０に形成されたカラーチャートを構成するカラーパッチを測色計１４で測色する。
【０１０９】
次にステップ５１２において、測色計１４が測色したカラーパッチの測色値をカラーパッチ抽出部３０６へ送信する。
【０１１０】
次にステップ５１４において、ステップ５０８で選択された抽出基準に基づいてカラーパッチを抽出する。
【０１１１】
次にステップ５１６において、抽出したカラーパッチの測色値を色再現モデル作成部３１２へ送信する。
【０１１２】
次にステップ５１８において、送信された測色値に基づいて、色再現モデル作成部３１２が画質方針に適合した色再現モデルを作成し、色再現モデル作成処理を終了する。
【０１１３】
図６で説明した方法により色再現モデルが作成されたら、色変換プロファイル作成部３０４で作成された色再現モデルに基づいて色変換プロファイルが作成される。
【０１１４】
以上説明したように、第１の実施の形態によれば、指定された画質方針に適合するカラーチャートを画像形成装置１２で形成し、当該カラーチャートを構成するカラーパッチを測色計１４で測色し、画質方針に基づいた抽出基準により画質方針に適合したカラーパッチを抽出する。その抽出されたカラーパッチの測色値に基づいて画質方針に適合した色再現モデルを作成する。当該色再現モデルに基づいて作成された色変換プロファイルは、画像形成装置１２が搭載するＨＤＤ１０８に記憶される。
【０１１５】
（第２の実施例）
上記第１の実施の形態においては、画質方針に適合したカラーチャートデータを選択し、カラーチャートを形成している。しかし、第２の実施例においては、カラーチャートデータを構成するカラーパッチデータを明度又は彩度を基準として追加あるいは修正することで、指定された画質方針において精度を求められる色に重点をおいたカラーチャートを新たに形成する。
【０１１６】
ここで、図７を参照して第２の実施の形態に係る、パソコン１６が備えるＣＰＵ２００の詳細を機能的に示した機能ブロック図を示す。以下、前記第１の実施の形態と同一構成部分については、同一の符号を付して、その構成の説明を省略する。
【０１１７】
第２の実施の形態では、ＣＰＵ２００は、カラーチャートデータ読み込み部６００と、カラーパッチ追加修正部６０２とを備える。また、パソコン１６のＨＤＤ２０８は、カラーパッチデータ記憶部６０４を備える。
【０１１８】
カラーチャートデータ読み込み部６００は、カラーパッチ追加修正部６０２と接続されており、カラーチャートデータ記憶部３２２から基本カラーチャートを読み込み、当該基本カラーチャートデータをカラーパッチ追加修正部６０２へ送信する。基本カラーチャートとは、画質方針に適合したカラーチャートを作成する基となるカラーチャートである。
【０１１９】
カラーパッチ追加修正部６０２は、画質方針指定部３０２とカラーパッチデータ記憶部６０４と接続されている。カラーパッチ追加修正部６０２は、画質方針指定部３０２で指定された画質方針に基づいて、カラーパッチデータ記憶部からカラーパッチデータを読み込み、基本カラーチャートデータに追加したり、基本カラーチャートを修正したりして、指定された画質方針において精度を求める色のカラーパッチの色の比率を高くする。
【０１２０】
また、測色計１４でカラーチャートが測色されるとき、相対的に測色誤差が小さくなる位置へ、比率を高くしたカラーパッチの領域がカラーチャートに配置されるように、カラーパッチ追加修正部６０２はカラーチャートデータを修正する。
【０１２１】
上記のようにカラーパッチ追加修正部で作成された、画質方針に沿ったカラーチャートデータは、カラーチャート出力制御部３１６へ送信される。
【０１２２】
次に図８のインテント別にカラーパッチを追加修正する場合のフローチャートに従い、第２の実施の形態における画質方針に基づいたカラーチャートを形成し、色再現モデルを作成するまでの処理について説明する。第１の実施の形態にかかる図６のフローチャートと同一のステップは、追加されるステップの前後についてのみ説明し、他の同一のステップについては同一の符号を付して説明を省略する。
【０１２３】
ステップ７００において、カラーチャートデータ読み込み部６００がカラーチャートデータ記憶部３２２から基本カラーチャートデータを読み込む。
【０１２４】
次にステップ７０２において、カラーパッチ追加修正部３０２で、画質方針指定部３０２で指定された画質方針が、階調重視か否かを判断する。指定された画質方針が、階調重視の場合、判断は肯定判定とされ、ステップ７０４へ移行する。一方、指定された画質方針が階調重視以外の場合は、判断は否定判定とされ、ステップ７０８へ移行する。
【０１２５】
ステップ７０４では、階調重視に基づいてカラーパッチ追加修正部６０２で基本カラーチャートデータに、ハイライト、中間調のパッチの比率が高くなるように、パッチデータを追加又は修正する。
【０１２６】
次にステップ７０６において、色再現モデルの外郭に歪みが生じにくくするために、パイルハイト量設定部３１８でパイルハイト量制限値を標準に設定する。
【０１２７】
次にステップ５０６において、画質方針に沿って形成されたカラーチャートデータに基づいて、カラーチャートを記録用紙２０に形成する。
【０１２８】
ステップ７０８では、カラーパッチ追加修正部６０２で、画質方針指定部３０２で指定された画質方針が、彩度重視か否かを判断する。指定された画質方針が、彩度重視の場合、判断は肯定判定とされ、ステップ７１０へ移行する。一方、指定された画質方針がトナー量重視の場合は、判断は否定判定とされ、ステップ７１４へ移行する。
【０１２９】
ステップ７１０では、彩度重視に基づいてカラーパッチ追加修正部６０２で基本カラーチャートデータに３原色を示す主要色とグレー軸のカラーパッチの比率が高くなるように、カラーパッチデータを追加又は修正する。
【０１３０】
次にステップ７１２において、色再現モデルを大きくして色を再現できる範囲を広げるために、パイルハイト量設定部３１８でパイルハイト量を高めに設定する。パイルハイト量設定後に、ステップ５０６に移行する。
【０１３１】
ステップ７１４では、トナー量重視に基づいてカラーパッチ追加修正部６０２で目的のトナー量（例えば７０％）付近の部分のカラーパッチの比率が高くなるように、カラーパッチデータを追加又は修正する。
【０１３２】
次にステップ７１６において、トナー量を制限するために、パイルハイト量設定部３１８でパイルハイト量を低めに設定する。パイルハイト量設定後に、ステップ５０６に移行する。
【０１３３】
図８で説明した方法により色再現モデルが作成されたら、色変換プロファイル作成部３０４で当該色再現モデルに基づいて色変換プロファイルが作成される。
【０１３４】
図８で挙げた３種類のインテント毎に適合したカラーチャートの形成は一例であり、ここで挙げていない他の画質方針においても同様にカラーパッチの比率を変えて画質方針に沿ったカラーチャートを形成するとしてもよい。
【０１３５】
また、色再現モデルの外郭の低明度、低彩度部分に歪みが生じる場合がある。これはトナーのパイルハイト量と密接に関係してくるが、歪みが生じやすい領域の精度を高めるために低明度、低彩度のカラーパッチの比率を高くしてもよい。
【０１３６】
以上説明したように、第２の実施例によれば、カラーパッチの比率を画質方針ごとに変えることで、精度を求められる部分に重点をおいたカラーチャートを形成し、色再現モデルを作成することができる。
【０１３７】
（変形例）
第１又は第２の実施の形態において、パソコン１６が備えるＣＰＵ２００は、画質方針に基づいてカラーチャートを選択し、当該カラーチャートを測色した測色値に基づいて画質方針に適合した色再現モデルを作成する機能を有する（図３、図７参照）が、この機能を画像形成装置１２のマイクロコンピュータ１００（図２参照）が備えるとしてもよい。
【０１３８】
そして、測色計１４でカラーチャートを測色した測色値を画像形成装置１２がネットワーク１８、あるいはＲＳ−２３２Ｃ、あるいはＵＳＢを介して受け取る。これにより画像形成装置１２は、パソコン１６を用いずに画質方針に適合した色再現モデルを作成し、当該色再現モデルから色変換プロファイルを作成することが可能となる。
【図面の簡単な説明】
【０１３９】
【図１】画像出力システムを表す概略図である。
【図２】画像形成装置とパソコンとの概略構成を表すブロック図である。
【図３】第１の実施の形態に係る、パソコンのＣＰＵの詳細を機能的に示した機能ブロック図である。
【図４】彩度方向の測色値が異なる色再現モデルの特徴を説明するのに要する図である。図４（Ａ）は、色再現モデルの断面図である。図４（Ｂ）は、彩度とトナーの濃度との関係を示している。
【図５】明度方向の測色値が異なる色再現モデルの特徴を説明するのに要する図である。図５（Ａ）は、色再現モデルの断面図である。図５（Ｂ）は、明度とトナーの濃度との関係を示している。
【図６】第１の実施の形態に係る、画質方針に基づいてカラーチャートを選択し、色再現モデルを作成するまでの処理の流れを示すフローチャートである。
【図７】第２の実施の形態に係る、パソコンのＣＰＵの詳細を機能的に示した機能ブロック図である。
【図８】第２の実施の形態に係る、カラーパッチデータを追加、修正することで画質方針に適合したカラーチャートを形成し、色再現モデルを作成するまでの処理の流れを示すフローチャートである。
【符号の説明】
【０１４０】
１０    画像出力システム
１２    画像形成装置（画像出力装置）
１４    測色計
１６    パソコン
１８    ネットワーク
２０    記録用紙（所定の媒体）
１００    マイクロコンピュータ
１０２    バス
１０４    モジュール制御部
１０６    ネットワークインターフェース
１０８    ＨＤＤ（記憶媒体）
１１０    スキャナモジュール
１１２    プリンタモジュール
２００    ＣＰＵ
２０２    バス
２０４    ＲＯＭ
２０６    ＲＡＭ
２０８    ＨＤＤ
２１０    ネットワークインターフェース
３００    色再現モデル作成処理部
３０２    画質方針指定部
３０４    色変換プロファイル作成部
３０６    カラーパッチ抽出部
３０８    抽出基準選択部
３１０    抽出基準メモリ
３１０    抽出基準選択部
３１２    色再現モデル作成部
３１４    カラーチャート選択部
３１６    カラーチャート出力制御部
３１８    パイルハイト量設定部
３２０    パイルハイト量メモリ
３２２    カラーチャートデータ記憶部
６０２    カラーパッチ追加修正部
６０４    カラーパッチデータ記憶部
【図１】
2007329843.tif 000005
【図２】
2007329843.tif 000006
【図３】
2007329843.tif 000007
【図４】
2007329843.tif 000008
【図５】
2007329843.tif 000009
【図６】
2007329843.tif 000010
【図７】
2007329843.tif 000011
【図８】
2007329843.tif 000012